(57)【要約】【課題】パラメトリックスピーカからノイズキャンセリング用の音波を出力する電子機器において、消費電力を小さくする。【解決手段】ノイズ音取得部１１０は、外部の音声を取得してノイズ音の音声データを生成する。キャンセル音声生成部１１５は、ノイズ音の音声データを用いて、ノイズ音をキャンセルするための音声データであるキャンセル音声データを生成する。この音声データは、例えばノイズ音の逆位相の音声を出力するためのデータである。周波数設定部１２０は、パラメトリックスピーカ１４０における変調信号の周波数を設定する。変調部１３０は、周波数設定部１２０が設定した周波数の変調信号を生成する。この変調信号は、パラメトリックスピーカ１４０に入力される。【選択図】図１
2012217016.tif 000002
【特許請求の範囲】
【請求項１】
外部の音声を取得してノイズ音の音声データを生成する外部音声取得手段と、
前記ノイズ音の音声データを用いて、前記ノイズ音をキャンセルするための音声データであるキャンセル音声データを生成するキャンセル音声生成手段と、
前記キャンセル音声データを超音波帯域に変調した変調信号を生成する変調手段と、
前記ノイズ音の周波数に基づいて、前記変調信号の周波数を設定する周波数設定手段と、
前記変調信号が入力されるパラメトリックスピーカと、
を備える電子機器。
【請求項２】
請求項１に記載の電子機器において、
前記周波数設定手段は、前記ノイズ音の周波数のうち最も音圧が高い周波数を選択し、選択した周波数に基づいて前記変調信号の周波数を設定する電子機器。
【請求項３】
請求項１又は２に記載の電子機器において、
前記周波数設定手段は、前記ノイズ音の周波数が高くなるにつれて、前記変調信号の周波数を高くする電子機器。
【請求項４】
請求項１〜３のいずれか一項に記載の電子機器において、
前記パラメトリックスピーカは、音波を出力する振動手段を有しており、
前記周波数設定手段は、前記変調信号の周波数として、前記振動手段の共振周波数の整数倍の周波数を選択する電子機器。
【請求項５】
外部の音声を取得してノイズ音の音声データを生成し、前記ノイズ音の音声データを用いて、前記ノイズ音をキャンセルするための音声データであるキャンセル音声データを生成し、
前記キャンセル音声データを超音波帯域に変調した変調信号を生成し、
前記ノイズ音の周波数に基づいて、前記変調信号の周波数を設定し、
前記変調信号をパラメトリックスピーカに入力する、ノイズキャンセリング方法。
【請求項６】
請求項５に記載のノイズキャンセリング方法において、
前記ノイズ音の周波数のうち最も音圧が高い周波数を選択し、選択した周波数に基づいて前記変調信号の周波数を設定するノイズキャンセリング方法。
【請求項７】
請求項５又は６に記載のノイズキャンセリング方法において、
前記ノイズ音の周波数が高くなるにつれて、前記変調信号の周波数を高くするノイズキャンセリング方法。
【請求項８】
請求項５〜７のいずれか一項に記載のノイズキャンセリング方法において、
前記パラメトリックスピーカは、音波を出力する振動手段を有しており、
前記変調信号の周波数として、前記振動手段の共振周波数の整数倍の周波数を選択するノイズキャンセリング方法。
【発明の詳細な説明】
【技術分野】
【０００１】
本発明は、ノイズキャンセリング用の音波を発振する電子機器、及びノイズキャンセリング方法に関する。
【背景技術】
【０００２】
他人に音声が聴かれないようにする技術として、超音波を搬送波として利用したパラメトリックスピーカが開発されている。超音波は志向性が高いため、パラメトリックスピーカを用いると、ユーザ近傍など、特定の方向にのみ音場を形成することができる。
【０００３】
一方、ノイズをキャンセリングする方法として、ノイズの逆位相の音波を出力する方法がある。例えば特許文献１には、パラメトリックスピーカから騒音消去用の音波を出力することが記載されている。これにより、特定の領域にのみノイズをキャンセリングすることができる。
【先行技術文献】
【特許文献】
【０００４】
【特許文献１】特開２００５−３３１５７１号公報
【発明の概要】
【発明が解決しようとする課題】
【０００５】
電子機器には、消費電力を小さくすることが求められている。これは、パラメトリックスピーカからノイズキャンセリング用の音波を出力する電子機器でも同様である。
【０００６】
本発明の目的は、パラメトリックスピーカからノイズキャンセリング用の音波を出力する電子機器において、消費電力を小さくすることにある。
【課題を解決するための手段】
【０００７】
本発明によれば、外部の音声を取得してノイズ音の音声データを生成する外部音声取得手段と、
前記ノイズ音の音声データを用いて、前記ノイズ音をキャンセルするための音声データであるキャンセル音声データを生成するキャンセル音声生成手段と、
前記キャンセル音声データを超音波帯域に変調した変調信号を生成する変調手段と、
前記ノイズ音の周波数に基づいて、前記変調信号の周波数を設定する周波数設定手段と、
前記変調信号が入力されるパラメトリックスピーカと、
を備える電子機器が提供される。
【０００８】
本発明によれば、外部の音声を取得してノイズ音の音声データを生成し、前記ノイズ音の音声データを用いて、前記ノイズ音をキャンセルするための音声データであるキャンセル音声データを生成し、
前記キャンセル音声データを超音波帯域に変調した変調信号を生成し、
前記ノイズ音の周波数に基づいて、前記変調信号の周波数を設定し、
前記変調信号をパラメトリックスピーカに入力する、ノイズキャンセリング方法が提供される。
【発明の効果】
【０００９】
本発明によれば、パラメトリックスピーカからノイズキャンセリング用の音波を出力する電子機器において、消費電力を小さくすることができる。
【図面の簡単な説明】
【００１０】
【図１】実施形態に係る電子機器の機能構成を示すブロック図である。
【図２】実施形態の効果を説明するための図である。
【発明を実施するための形態】
【００１１】
以下、本発明の実施の形態について、図面を用いて説明する。尚、すべての図面において、同様な構成要素には同様の符号を付し、適宜説明を省略する。
【００１２】
図１は、実施形態に係る電子機器の機能構成を示すブロック図である。この電子機器は、ノイズ音取得部１１０、キャンセル音声生成部１１５、周波数設定部１２０、変調部１３０、及びパラメトリックスピーカ１４０を有している。パラメトリックスピーカ１４０は、可聴域の音声信号を超音波帯域に変調した変調信号が入力される。ノイズ音取得部１１０は、外部の音声を取得してノイズ音の音声データを生成する。キャンセル音声生成部１１５は、ノイズ音の音声データを用いて、ノイズ音をキャンセルするための音声データであるキャンセル音声データを生成する。このキャンセル音声データは、例えばノイズ音の逆位相の音声を出力するためのデータである。周波数設定部１２０は、パラメトリックスピーカ１４０における変調信号の周波数を設定する。変調部１３０は、周波数設定部１２０が設定した周波数の変調信号を生成する。この変調信号は、パラメトリックスピーカ１４０に入力される。
【００１３】
この電子機器は、例えば携帯通信端末などの携帯型の電子機器である。このため、パラメトリックスピーカ１４０には、消費電力が少ないことも要求される。
【００１４】
図２は、復調される音声の周波数の音圧が、変調信号の周波数によってどのように変化するかを示している。本図に示すように、変調信号の周波数が高くなるにつれて、復調される音声の音圧が最大になる周波数が高くなる。そして本実施形態では、周波数設定部１２０は、ノイズ音の周波数に基づいて、変調信号の周波数を設定する。具体的には、周波数設定部１２０は、ノイズ音の周波数が高くなるにつれて、変調信号の周波数を高くする。このため、変調部１３０は、キャンセル音声データの出力を小さくすることができる。
【００１５】
パラメトリックスピーカ１４０は、音波を出力する振動手段、例えば圧電振動子などの超音波振動子を有している。この超音波振動子は、例えばアレイ状に配置されている。周波数設定部１２０は、この超音波振動子の基本共振周波数を予め記憶しており、この基本共振周端数の整数倍の周波数を選択する。
【００１６】
変調部１３０は、パラメトリックスピーカ１４０が再生すべき音声信号を、パラメトリックスピーカ用の変調信号に変調する。変調部１３０は、変調信号の搬送波の周波数を、周波数設定部１２０が設定した周波数に設定する。
【００１７】
なお、ノイズ音取得部１１０は、外部音声からノイズ成分を抽出する処理を行う。ここで抽出されるノイズ成分は、複数の周波数成分を有している場合が多い。そこで周波数設定部１２０は、ノイズ音取得部１１０が抽出したノイズ成分のうち、最も音圧が高い周波数を選択し、選択した周波数に基づいて変調信号の周波数を設定する。
【００１８】
以上、本実施形態によれば、パラメトリックスピーカ１４０からノイズキャンセリング用の音波を出力する。そして周波数設定部１２０は、ノイズ音の周波数に基づいて、変調信号の周波数を設定する。このため、変調部１３０は、キャンセル音声データの出力を小さくすることができる。従って、電子機器の消費電力を小さくすることができる。
【００１９】
特にノイズ音が低周波の場合、変調信号の周波数は低くなる。圧電振動子のインピーダンスは、周波数が低くなるにつれて高くなる。従って、ノイズ音が低周波の場合、電子機器の消費電力はさらに小さくなる。
【００２０】
以上、図面を参照して本発明の実施形態について述べたが、これらは本発明の例示であり、上記以外の様々な構成を採用することもできる。
【符号の説明】
【００２１】
１１０ ノイズ音取得部
１１５ キャンセル音声生成部
１２０ 周波数設定部
１３０ 変調部
１４０ パラメトリックスピーカ
【図１】
2012217016.tif 000003
【図２】
2012217016.tif 000004